(57)【要約】【課題】  装置の機能が異なっても同形状のキャビネットを共通に使用でき、しかもボイスメモリが可能であることがすぐわかり、カード型記録媒体の装着位置が正面からでもすぐわかる表示装置を提供する。【解決手段】  液晶テレビの右側側方からカード型記録媒体（カード型記録媒体）９を装着するため、後面キャビネット２ｂの右側面にカード型記録媒体装着用の開口部５が形成されている。前面キャビネット２ａには、後面キャビネット２ｂの開口部５に相対する位置に切り欠け部を形成してある。この切り欠け部に嵌め込むように飾り板４が溶着や接着等により取り付けられている。【選択図】  図１
2005198011.tif 000002
【特許請求の範囲】
【請求項１】
表示パネルを備え、カード型記録媒体を着脱可能とした表示装置において、
前記表示パネルと前記カード型記録媒体を装着するスロット部を収容し、前記カード型記録媒体を該スロット部に装着するための開口部を側面に形成し、さらに前記側面開口部に相対する表示側前面に切り欠け部を形成した筐体と、
前記切り欠け部に嵌め込んで取り付ける飾り板とを備えたことを特徴とする表示装置。
【請求項２】
前記筐体の切り欠け部内には、外部の音を集音するマイクと集音可能状態になったときに発光する発光手段とを取り付け、
前記飾り板及び筐体の切り欠け部内には、外部の音をマイクに集音するための集音穴と発光手段の光を外部に照射させるための発光穴とを設けたことを特徴とする請求項１に記載の表示装置。
【請求項３】
前記集音穴と前記発光穴を、前記側面開口部の幅方向の前記飾り板の両端近くに配置することを特徴とする請求項１に記載の表示装置。
【請求項４】
各種所定の処理を行うための制御部を有し、前記制御部はカード型記録媒体が装着され、ボイスメモリ機能をオンする操作が行われた場合は、ユーザに録音中であることを認識させる手段を有することを特徴とする請求項１乃至３のいずれかに記載の表示装置。
【発明の詳細な説明】
【技術分野】
【０００１】
本発明は、カード型記録媒体に音声を記録するボイスメモリ機能を有する表示装置に関する。
【背景技術】
【０００２】
近年、液晶テレビ等の薄型表示装置において、ユーザの音声を録音するボイスメモリ機能を備えるものが要望されている。従来、ボイスメモリ機能を有する装置は様々存在し、例えば特許文献１にボイスメモリ付きボードが開示されている。このボードは、図６に示すように、ユーザが伝言を記載する記載面５２と、音声を集音するマイク５６と、図示していない音声を記録する記録媒体（磁気テープ）と、音声を再生するスピーカ５７とを備えている。マイク５６はキャビネット前面に設けられ、ユーザからの音声を集音しやすいように配置されている。
【０００３】
また、カード型記録媒体を装着できる表示装置としては、図７に示すように、側面にカード型記録媒体６２を装着できるようにした液晶テレビ６１がある。
【特許文献１】実開平１−８５０９４号公報
【発明の開示】
【発明が解決しようとする課題】
【０００４】
さて、このような液晶テレビに、特許文献１のように、キャビネット前面にマイクを取り付け、カード型記録媒体に音声を記録するボイスメモリ機能を持たせたものが考えられる。キャビネットの前面には、表示部用、スピーカ用及び集音用の孔をそれぞれに設ける必要がある。こうすると、側面に記録媒体を装着するタイプの表示装置であっても、キャビネットは、ボイスメモリ機能付きの場合とそうでない場合では、キャビネットの開口部分が異なるので、キャビネット製造用の金型を別々に作成しなければならない。
【０００５】
また、音声録が可能な状態であるかを確認する手段がないと、ユーザは音声入力を実行してよいか判断ができない。さらに、カード型記録媒体はキャビネット側面に装着するので、表示装置の正面からでは、カード装着位置がわからず、側面からみる必要があった。
【０００６】
本発明は、斯かる実情に鑑み、装置の機能が異なっても同形状のキャビネットを共通に使用でき、しかもボイスメモリが可能であることがすぐわかり、カード型記録媒体の装着位置が正面からでもすぐわかる表示装置を提供することを目的とする。
【課題を解決するための手段】
【０００７】
本発明は、表示パネルを備え、カード型記録媒体を着脱可能とした表示装置において、前記表示パネルと前記カード型記録媒体を装着するスロット部を収容し、前記カード型記録媒体を該スロット部に装着するための開口部を側面に形成し、さらに前記側面開口部に相対する表示側前面に切り欠け部を形成した筐体と、前記切り欠け部に嵌め込んで取り付ける飾り板とを備えたことを特徴とする。
【０００８】
また、本発明は、前記筐体の切り欠け部内には、外部の音を集音するマイクと集音可能状態になったときに発光する発光手段とを取り付け、前記飾り板及び筐体の切り欠け部内には、外部の音をマイクに集音するための集音穴と発光手段の光を外部に照射させるための発光穴とを設けたことを特徴とする。
【０００９】
また、本発明は、前記集音穴と前記発光穴を、前記側面開口部の幅方向の前記飾り板の両端近くに配置することを特徴とする。
【００１０】
また、本発明は、各種所定の処理を行うための制御部を有し、前記制御部はカード型記録媒体が装着され、ボイスメモリ機能をオンする操作が行われた場合は、ユーザに録音中であることを認識させる手段を有することを特徴とする。
【発明の効果】
【００１１】
本発明によれば、カード型記録媒体を装着するための筐体側面開口部に相対する表示側前面に切り欠け部を形成し、該切り欠け部に飾り板を取り付けるため、機能変更による部品を切り欠け部内に収納し、それによる外形変更を飾り板で行うことが可能になり、筐体自体は共有化できる。従って、筐体自体の製造には共通の金型を使用することができ、コストダウンを図ることができる。
【００１２】
また、外部の音を集音するマイクと集音可能状態になったときに発光する発光手段とを取り付け、前記飾り板及び前記筐体の切り欠け部内には、外部の音をマイクに集音するための集音穴と発光手段の光を外部に照射させるための発光穴とを設けたので、表示装置の前方にいるユーザは発光手段の発光を確認して、集音可能状態になったことを認識できる。また、筐体前面側にマイクの集音穴があるので、集音効率がよく、またマイクがどの位置あるかをユーザが認識できるので、その方向に向かって話すことになり、集音効率をさらに向上できる。
【００１３】
また、前記集音穴と前記発光穴を、前記側面開口部の幅方向の前記飾り板の両端近くに配置するので、ユーザはカード型記録媒体の装着位置が集音穴と発光穴から認識できるので、簡単に装着が可能となる。
【発明を実施するための最良の形態】
【００１４】
以下、本発明の実施の形態を添付図面を参照して説明する。
【００１５】
図１は、本発明の表示装置の一実施形態である液晶テレビを示す斜視図である。この液晶テレビ１は、キャビネット（筐体）２と、液晶表示パネル３と、飾り板４と、スタンド６と、スピーカ部７とから構成されている。キャビネット２は、前面キャビネット２ａと後面キャビネット２ｂから構成されており、液晶表示パネル３をはじめとする各部品は、前面キャビネット２ａと後面キャビネット２ｂの間に収容されている。図１に示すように、液晶テレビの右側側方からカード型記録媒体（カード型記録媒体）９を装着するため、後面キャビネット２ｂの右側面にカード型記録媒体装着用の開口部５が形成されている。前面キャビネット２ａには、後面キャビネット２ｂの開口部５に相対する位置に切り欠け部２１を形成してある（図２参照）。この切り欠け部２１に嵌め込むように飾り板４が溶着や接着等により取り付けられている。
【００１６】
図３に示すように、飾り板４には、発光穴４ａと集音穴４ｂが形成されている。前面キャビネット２ａには、発光穴４ａと集音穴４ｂに対応する位置に発光ダイオード１０とマイク１２を取り付ける貫通穴が形成されている。マイク１２はゴムホルダー１３を介してキャビネット２ａにビス１３により固定され、発光ダイオード１０も同様に取り付けられている。こうして、飾り板４は前面キャビネット２ａに取り付けられ、発光穴４ａと集音穴４ｂが形成されているので、ユーザに発光確認を容易にし、また集音性も向上する。
【００１７】
発光穴４ａと集音穴４ｂを、開口部５の幅方向の飾り板４の両端近くに配置している。こうして、ユーザはカード型記録媒体の装着位置が集音穴と発光穴から認識できるので、簡単に装着が可能となる。
【００１８】
なお、本実施形態の液晶テレビ１においては、発光ダイオード１０とマイク１２を必要とする機能であるが、ボイスメモリ機能を有さない機能であれば、マイクは必要ない。その場合は、発光ダイオードを前面キャビネット２ａに取り付け、図４に示すように、発光穴２４ａのみ形成した飾り板２４を使用すればよい。
【００１９】
次に、カード型記録媒体９の装着構造について説明する。
【００２０】
カード型記録媒体９を装着するスロット部１０は、図５に示すように、挿入されたカード型記録媒体９が収納されるカード用コネクタ４１と、カード用コネクタ４１に挿着されたカード型記録媒体９の取り出しを行うためのプッシュロッド４２と、プッシュロッド４２が排出準備状態に移行したことを検出する排出準備状態検出センサ４３と、カード用コネクタ４１および排出準備状態検出センサ４３からの出力に応じて状態信号を出力する信号検出部４４とからなる。これらの部品は、キャビネット２内部の開口部５の位置に配置されている。
【００２１】
プッシュロッド４２は、２段階の操作によってカード型記録媒体９を排出するタイプであり、例えば折れ曲がりタイプのプッシュロッドである。すなわち、カード用コネクタ４１にカード型記録媒体９が挿着された状態で、図５（ａ）に示すように折れ曲げることにより、突出状態のプッシュロッド４２の誤操作により接続中のカード型記録媒体９が意に反して排出されてしまうことを防止している。尚、このような排出機構を実現するプッシュロッド４２の具体的実施形態としては、例えば市販のロック状態を有するプッシュスイッチ及びこれに類するスイッチ部材などが挙げられる。
【００２２】
カード型記録媒体９をカード用コネクタ４１から排出する際には、図５（ａ）に矢印で示す方向にプッシュロッド４２の折れ曲がり部分を回動させ（第１の操作）、図５（ｂ）に示すように、プッシュロッド４２を直線状にした状態で、プッシュロッド４２を図５（ｂ）に矢印で示す方向に押し込むことにより（第２の操作）、図示しないイジェクトレバーを作用させてカード型記録媒体９を排出させる。
【００２３】
排出準備状態検出センサ４３は、例えば反射型光センサであり、図５に示すように、プッシュロッド４２の折れ曲がり部分を検出する位置に配置され、プッシュロッド４２の折れ曲がり部分の有無を検出することによって、プッシュロッド４２の折れ曲がり部分を回動させる第１の操作が行われて排出準備状態に移行したことを検出し、排出準備状態検出信号を信号検出部４４に出力する。
【００２４】
信号検出部４４は、排出準備状態検出センサ４３からの排出準備状態検出信号が入力されると、カード用コネクタ４１とカード型記録媒体９との接続状態を検出するカード検出処理を行い、カード用コネクタ４１にカード型記録媒体９が挿着されている場合には、排出準備状態検出信号をカード制御部１１に出力する。さらに、信号検出部４４は、カード用コネクタ４１とカード型記録媒体９との接続状態を検出するカード検出処理を行うことで、カード用コネクタ４１からのカード型記録媒体９の排出を検出し、カード用コネクタ４１からのカード型記録媒体９の排出が検出されると、排出確認信号をカード制御部１１に出力する。
【００２５】
カード制御部１１は、カード型記録媒体９が装着され、ボイスメモリ機能をオンする操作が行われた場合は、ユーザに録音可能な状態になったこと認識させるべく、発光ダイオード１０を点灯又は点滅発光させる。こうして、ユーザに音声録音可能な状態になったことを報知することができ、またユーザに録音される位置を指示することも可能となる。また、ユーザに録音される位置を指示する手段としては、この上述の発光ダイオードを発光させる方法以外に、表示画面上でＰＣカード挿入位置にもっとも近い位置にマイクの位置を指示するパターン（例えば矢印マークと『矢印の方向に向かって録音してください。』というコメント表示等）を映像信号等に重ね合わせて表示しても良い。
【００２６】
カード制御部１１は、カード型記録媒体９に記憶されている音声信号を読み出し、音声信号をスピーカ部７に出力する再生処理と、マイク１０から出力される音声信号をカード型記録媒体９に音声データとして書き込む記録処理とを行う。
【００２７】
この液晶テレビは、ボイスメモリ機能を有しているが、ボイスメモリ機能を持たず単にカード型記録媒体を装着するタイプもある。この場合は、図７に示すように、発光穴のみが形成された飾り板を使用し、発光穴の内部に発光ダイオードのみを配置する。このように、飾り板の部分における部品変更により外部の形状が変化するものであっても、飾り板の交換のみによって対応可能である。こうして、機種が異なるものでもキャビネットは共通に使用できるので、キャビネット自体の製造に用いる金型を共通化でき、コストダウンを図ることができる。
【図面の簡単な説明】
【００２８】
【図１】本発明の表示装置の一実施形態である液晶テレビを示す斜視図である。
【図２】前面キャビネットに取り付ける部品の組み立て斜視図である。
【図３】飾り板を示す外観図である。
【図４】他の飾り板を示す外観図である。
【図５】カード型記録媒体の周辺の構造を示す説明図である。
【図６】従来のボイスメモリ機能付ボードを示す外観図である。
【図７】従来の液晶テレビを示す外観図である。
【符号の説明】
【００２９】
１  液晶テレビ
２  キャビネット
２ａ  前面キャビネット
２ｂ  後面キャビネット
３  液晶表示パネル
４  飾り板
４ａ  発光穴
４ｂ  集音穴
５  開口部
【図１】
2005198011.tif 000003
【図２】
2005198011.tif 000004
【図３】
2005198011.tif 000005
【図４】
2005198011.tif 000006
【図５】
2005198011.tif 000007
【図６】
2005198011.tif 000008
【図７】
2005198011.tif 000009